(57)【要約】      （修正有）【課題】折り畳み式容器に関し、舌片と被係合部とを係合して組み立て状態に固定することができるようにしたものである。【解決手段】一枚のシートにより形成され、当該シートに設けられた折曲線により、底板と、当該底板の各辺に立設される各側板(30、60)とが形成される折り畳み式容器(10)である。底板の少なくとも一辺に折曲線を介して舌片(120)が連設され、当該舌片(120)を底板から起立させたときに当該舌片(120)と対向する位置にある側板(30、60)に被係合部（例えば被係合溝141）を有し、舌片(120)と被係合部（例えば被係合溝141）とが係合して組み立て状態に固定するように形成された。【選択図】図１
2012035892.tif 000002
【特許請求の範囲】
【請求項１】
一枚のシートにより形成され、当該シートに設けられた折曲線により、底板と、当該底板の各辺に立設される各側板とが形成される折り畳み式容器であって、
前記底板の少なくとも一辺に折曲線を介して舌片が連設され、当該舌片を底板から起立させたときに当該舌片と対向する位置にある前記側板に被係合部を有し、前記舌片と前記被係合部とが係合して組み立て状態に固定するように形成された、
折り畳み式容器。
【請求項２】
請求項１記載の折り畳み式容器であって、
底板と各側板とを袋状に接合し、
接合した袋体を箱形に立体的に組み立て、
前記舌片と前記被係合部とを係合させることで、
箱形を保持するようにしている、
折り畳み式容器。
【請求項３】
請求項２に記載の折り畳み式容器であって、
底板は、
当該底板に連設され、組み立て状態において対向する位置に立設される一対の側板と接する第１辺と第２辺と、
組み立て状態において対向する位置に立設される他の側板と接する第３辺と第４辺とを少なくとも有し、
前記第３辺と前記第４辺とのそれぞれの中点を両端とする線分上に、前記第１辺と前記第２辺とに平行な第１折畳用折曲線を形成し、
前記折り畳み式容器は、
折り畳み状態において、底板が前記第１折畳用折曲線から折り畳まれるとともに、前記一対の側板が重なり合うように形成された、
折り畳み式容器。
【請求項４】
請求項２又は請求項３に記載の折り畳み式容器であって、
当該折り畳み式容器は、
組み立て状態において対向する位置に立設される一対の側板であって、それぞれ底板と他の側板とに連設される第１側板と第２側板と、
組み立て状態において対向する位置に立設される一対の側板であって、それぞれ他の側板に連設される第３側板と第４側板を少なくとも有し、
前記第３側板及び前記第４側板は、
それぞれ略四角形を呈し、
隣接する側板にそれぞれ接する第５辺と第６辺と、
前記第５辺と前記第６辺とにそれぞれ隣接する第７辺と第８辺とを有し、前記第７辺と前記第８辺とのそれぞれの中点を両端とする線分上には、前記第５辺と前記第６辺とに平行な第２折畳用折曲線を形成し、
前記折り畳み式容器は、
折り畳み状態において、前記第３側板と前記第４側板とがともに前記第２折畳用折曲線から折り畳まれるとともに、第１側板と第２側板とが重なり合うように形成された、
折り畳み式容器。
【請求項５】
請求項２乃至請求項４のいずれかに記載の折り畳み式容器であって、
当該折り畳み式容器は、
組み立て状態において対向する位置に立設される一対の側板であって、それぞれ底板と他の側板とに連設される第１側板と第２側板と、
組み立て状態において対向する位置に立設される一対の側板であって、それぞれ他の側板に連設される第３側板と第４側板とを少なくとも有し、
当該各側板はそれぞれ略四角形を呈し、
前記第３側板及び前記第４側板に隣接する側板は、それぞれ前記第３側板及び前記第４側板に接する辺に片半部が連接され、
前記片半部と他の前記側板の片半部とが、少なくとも一部が重合するように接続されて前記第３側板及び前記第４側板を形成し、前記重合する箇所に被係合部を形成する、
折り畳み式容器。
【請求項６】
請求項４に記載の折り畳み式容器であって、
前記舌片は、前記底板の少なくとも一辺に接するように連接され、
組み立て状態において、前記側板が前記一辺と当該側板の一辺とが接した状態で前記底板に対し立設され、前記舌片が前記一辺を軸に前記底板に対して起立して前記側板と対向し、前記舌片と前記被係合部とが係合して組み立て状態に固定するように形成された
折り畳み式容器。
【請求項７】
請求項６に記載の折り畳み式容器であって、
前記舌片は、組立用折曲線を介して折返片と連接され、
前記折返片は、側板の一辺に接するように連設され、
組み立て状態において、前記一辺と側板の一辺とが接するように前記舌片と折返片とが重合し、これにより、前記一辺と側板の一辺とが接した状態で前記側板が前記底板に対し立設され、前記舌片と前記折返片とが重合した状態で前記舌片が前記一辺を軸に前記底板に対して起立することで、前記折返片が前記側板と対向する位置に配され、前記舌片と前記折返片とが前記被係合部と係合して組み立て状態に固定するように形成された、
折り畳み式容器。
【請求項８】
請求項２乃至請求項７のいずれかに記載の折り畳み式容器であって、
当該折り畳み式容器は、
組み立て状態において、
底板の各辺に立設される各側板を有し、
前記底板と前記各側板とで閉塞面を形成し、さらに前記底板と対向する位置が開放上面を形成し、
蓋板は、
各側板のうち少なくとも１の側板の少なくとも一辺に接するように連設され、組み立て状態において当該折り畳み式容器の開放上面を開閉可能に塞ぐことができるように形成された、
折り畳み式容器。
【発明の詳細な説明】
【技術分野】
【０００１】
この発明は、折り畳み式容器に関し、舌片と被係合部とを係合して組み立て状態に固定することができるようにしたものである。
【背景技術】
【０００２】
従来、一枚のシートにより形成され、当該シートに設けられた折曲線により、底板と、当該底板の四辺に立設される各側板とを形成し、前記側板の少なくとも一つには蓋板が連設される折り畳み式容器が知られている（例えば特許文献１）。
【先行技術文献】
【特許文献】
【０００３】
【特許文献１】実用新案登録第3148783号公報
【発明の概要】
【発明が解決しようとする課題】
【０００４】
しかし、上記した従来の折り畳み式容器は、組み立てが困難であるという問題点があった。
すなわち、上記した従来の折り畳み式容器は、蓋板に対して４枚の側板を立ち上げた状態を手で保持しながら組み立てなければならず、組み立て途中で側板から手が離れると倒れてしまうことがあり、組み立てが困難であった。
【０００５】
本発明は、上記した問題点に着目し、組み立て途中において舌片と被係合部とを係合して組み立て状態に固定することができるようにしたものである。
【０００６】
これに加え、本発明は、底板と各側板とを袋状に接合することで、容器の組み立てを簡略化することができるようにしたものである。
本発明は、底板を第１折畳用折曲線から折り畳むことで、コンパクトに折り畳むことができるようにしたものである。
【０００７】
本発明は、第３側板と第４側板とがともに第２折畳用折曲線から折り畳まれるとともに、第１側板と第２側板とが重なり合うように形成することで、一層、コンパクトに折り畳むことができるようにしたものである。
【０００８】
本発明は、側板を片半部から構成することで、容器の展開状態のシートを有効に活用することができるようにしたものである。
【０００９】
本発明は、舌片を、底板の少なくとも一辺に接するように連接することで、組み立て易い位置に舌片を設けることができるようにしたものである。
【００１０】
本発明は、舌片を、組立用折曲線を介して折返片と連接し、組み立て時に舌片と折返片とが重合した状態とすることで、舌片の剛性を向上することができるようにしたものである。
【００１１】
本発明は、組み立て状態において当該折り畳み式容器の開放上面を、蓋板により開閉可能に塞ぐことができるようにしたものである。
【課題を解決するための手段】
【００１２】
各請求項にそれぞれ記載された各発明は、上記した各目的を達成するためになされたものであり、各発明の特徴点を以下に説明する。
本発明は、第１に、一枚のシートにより形成され、当該シートに設けられた折曲線により、底板と、当該底板の各辺に立設される各側板とが形成される折り畳み式容器である。
これに加え、本発明は、底板の少なくとも一辺に折曲線を介して舌片が連設され、当該舌片を底板から起立させたときに当該舌片と対向する位置にある側板に被係合部を有し、舌片と被係合部とが係合して組み立て状態に固定するように形成された。
なお、本発明として、図１〜１０に示した第１の実施の形態では、組み立てた状態で直方体形の容器を例示したが、これに限定されない。例えば図５に示すように、底板を、長方形に形成したが、これに限定されず、図示しないが、正方形、菱形、他の平行四辺形等に形成しても良いし、或いは四辺形に限らず、三角形、五角形以上の多角形、円形、楕円、長円形等に形成しても良い。
【００１３】
第２に、本発明は、底板と各側板とを袋状に接合し、接合した袋体を箱形に立体的に組み立て、舌片と被係合部とを係合させることで、箱形を保持するようにしている。
【００１４】
第３に、本発明は、底板が、当該底板に連設され、組み立て状態において対向する位置に立設される一対の側板と接する第１辺と第２辺と、組み立て状態において対向する位置に立設される他の側板と接する第３辺と第４辺とを少なくとも有する。
これに加え、本発明は、第３辺と第４辺とのそれぞれの中点を両端とする線分上に、第１辺と第２辺とに平行な第１折畳用折曲線を形成する。
さらに、本発明は、折り畳み式容器が、折り畳み状態において、底板が第１折畳用折曲線から折り畳まれるとともに、一対の側板が重なり合うように形成された。
なお、本発明として、図１〜１０に示した第１の実施の形態では、底板を、四角形に形成したが、これに限定されず、図示しないが、「４」の倍数である八角形や十六角形に形成しても良い。
【００１５】
第４に、本発明は、折り畳み式容器が、組み立て状態において対向する位置に立設される一対の側板であって、それぞれ底板と他の側板とに連設される第１側板と第２側板と、組み立て状態において対向する位置に立設される一対の側板であって、それぞれ他の側板に連設される第３側板と第４側板を少なくとも有する。
これに加え、本発明は、第３側板及び第４側板は、それぞれ略四角形を呈し、隣接する側板にそれぞれ接する第５辺と第６辺と、第５辺と第６辺とにそれぞれ隣接する第７辺と第８辺とを有し、第７辺と第８辺とのそれぞれの中点を両端とする線分上には、第５辺と第６辺とに平行な第２折畳用折曲線を形成する。
さらに、本発明は、折り畳み式容器が、折り畳み状態において、第３側板と第４側板とがともに第２折畳用折曲線から折り畳まれるとともに、第１側板と第２側板とが重なり合うように形成された。
【００１６】
第５に、本発明は、折り畳み式容器が、組み立て状態において対向する位置に立設される一対の側板であって、それぞれ底板と他の側板とに連設される第１側板と第２側板と、組み立て状態において対向する位置に立設される一対の側板であって、それぞれ他の側板に連設される第３側板と第４側板とを少なくとも有する。
これに加え、本発明は、当該各側板がそれぞれ略四角形を呈し、第３側板及び第４側板に隣接する側板は、それぞれ第３側板及び第４側板に接する辺に片半部が連接され、片半部と他の側板の片半部とが、少なくとも一部が重合するように接続されて第３側板及び第４側板を形成し、重合する箇所に被係合部を形成する。
【００１７】
第６に、本発明は、舌片が、底板の少なくとも一辺に接するように連接される。
これに加え、本発明は、組み立て状態において、側板が一辺と当該側板の一辺とが接した状態で底板に対し立設され、舌片が一辺を軸に底板に対して起立して側板と対向し、舌片と被係合部とが係合して組み立て状態に固定するように形成された。
【００１８】
第７に、本発明は、舌片が、組立用折曲線を介して折返片と連接され、折返片は、側板の一辺に接するように連設される。
これに加え、本発明は、組み立て状態において、一辺と側板の一辺とが接するように舌片と折返片とが重合し、これにより、一辺と側板の一辺とが接した状態で側板が底板に対し立設され、舌片と折返片とが重合した状態で舌片が一辺を軸に底板に対して起立することで、折返片が側板と対向する位置に配され、舌片と折返片とが被係合部と係合して組み立て状態に固定するように形成された。
【００１９】
第８に、本発明は、折り畳み式容器が、組み立て状態において、底板の各辺に立設される各側板を有し、底板と各側板とで閉塞面を形成し、さらに底板と対向する位置が開放上面を形成する。
これに加え、本発明は、蓋板が、各側板のうち少なくとも１の側板の少なくとも一辺に接するように連設され、組み立て状態において当該折り畳み式容器の開放上面を開閉可能に塞ぐことができるように形成された。
【発明の効果】
【００２０】
本発明は、以上のように構成されているので、以下に記載されるような効果を奏する。
すなわち、本発明によれば、組み立て途中において舌片と被係合部とを係合して組み立て状態に固定することができる。
【図面の簡単な説明】
【００２１】
【図１】組み立て状態の容器の斜視図である。
【図２】舌片と被係合片とを説明するための容器の一部斜視図である。
【図３】舌片を被係合片の被係合溝に差し込んだ状態を説明するための容器の一部斜視図である。
【図４】容器の他の組み立て状態を説明するための斜視図である。
【図５】容器の展開図である。
【図６】図５の中央部の拡大図である。
【図７】図５の下側の拡大図である。
【図８】図５の上側の拡大図である。
【図９】容器を接合した袋体の平面図である。
【図１０】図９に対応し、袋体の背面図である。
【図１１】第２の実施の形態を示し、同図は容器の展開図である。
【図１２】図１１に対応し、容器の組み立て状態の斜視図である。
【図１３】第３の実施の形態を示し、同図は容器の展開図である。
【図１４】図１３に対応し、容器の組み立て状態の斜視図である。
【図１５】第４の実施の形態を示し、同図は容器の展開図である。
【図１６】図１５に対応し、容器の組み立て状態の斜視図である。
【発明を実施するための形態】
【００２２】
（折り畳み式容器10）
10は、折り畳み式容器を示すものであり、当該容器10は、図５に示すように、展開状態のものを、図９及び図１０に示すように、溶着して平面的な袋体11とする。つぎに、平面的な袋体11は、容器10の折り畳み状態であり、当該折り畳み状態の容器10を、図１〜３に示すように、立体的な箱形に組み立てて使用する。組み立てた状態の容器10は、例えば食材や食品を含む料理を提供する施設において、消費者が料理の一部を持ち帰るために使用可能である。
【００２３】
なお、容器10の用途として、料理の一部を持ち帰る用途を例示したが、これに限定されず、例えば組み立てた状態の容器10に、図示しないが、お弁当を詰め、お弁当を食べた後、組み立てた状態の容器10を、平面的に折り畳んで携帯し、持ち帰ることも可能である。（展開状態の容器10）
【００２４】
まず、容器10の展開状態を、図５〜８を用いて説明する。
容器10は、適度な合成と弾性とを有する合成樹脂、例えばＰＰ（ポリプロピレン）の１枚のシートを裁断して形成する。
なお、シートの材質として、ＰＰを例示したが、これに限定されず、他の合成樹脂や紙から構成しても良い。また、紙で構成する場合には、容器10の内面となる面に、例えばポリエチレン等をコーティングしておくと、容器10の内部に入れた食品の水分が、容器10の外側に漏れ出るのを防止することができる。
【００２５】
展開状態の容器10は、図５〜８に示すように、大別すると、次の各部を備える。
なお、次の（１）〜（７）については、後述する。
（１）底板20
（２）側板30〜60
（３）蓋板70
（４）取っ手80
（５）取っ手係止片90,100
（６）舌片110,120
（７）被係合片130,140
なお、容器10の各部は、上記した（１）〜（７）に限定されない。
【００２６】
（底板20）
底板20は、図５及び図６に示すように、周囲に四辺を有し、例えば同図において左右長い長方形に形成されている。
【００２７】
なお、底板20の形状として、長方形を例示したが、これに限定されず、図示しないが、正方形、菱形、他の平行四辺形等に形成しても良い。また、底板20の形状は、四辺形に限らず、図示しないが、「４」の倍数である八角形や十六角形に形成しても良いし、又、「４」の倍数にも限らず、三角形や五角形以上の多角形、或いは円形、楕円、長円形等も可能である。
【００２８】
底板20の四辺には、図５及び図６に示すように、４本の組立用折曲線L1〜L4が形成されている。
また、図５及び図６において左右に対向する組立用折曲線L3,L4の中点には、上下に対向する組立用折曲線L1,L2と平行な折畳用折曲線M1が形成されている。このため、底板20は、図９及び図１０に示すように、折畳用折曲線M1に沿って上下に二つ折りに折り畳める。
さらに、上下に対向する組立用折曲線L1,L2の中点には、左右に対向する組立用折曲線L3,L4と平行な折畳用折曲線M2が形成されている。このため、底板20は、図示しないが、折畳用折曲線M2に沿って左右に二つ折りに折り畳める。
【００２９】
また、２本の折畳用折曲線M1,M2に沿って折り畳むことで、図示しないが、底板20を四つ折りに折り畳める。
【００３０】
（側板30〜60）
側板30〜60は、図５〜８に示すように、底板20の四辺に沿う４本の組立用折曲線L1〜L4を介してそれぞれ連設する、次の４個の各部から構成されている。
【００３１】
なお、次の（１）〜（４）については、後述する。
（１）正面側側板30
（２）背面側側板40
（３）左側側板50
（４）右側側板60
なお、側板30〜60の各部は、上記した（１）〜（４）に限定されない。
【００３２】
（正面側側板30）
正面側側板30は、図５及び図７に示すように、底板20の下辺に沿う組立用折曲線L1を介して連設し、底板20と同様に、例えば同図において左右長い長方形に形成されている。
【００３３】
なお、正面側側板30の形状として、長方形を例示したが、これに限定されず、正方形、菱形、他の平行四辺形等に形成しても良い。
正面側側板30の四辺には、図５及び図７に示すように、組立用折曲線L1のほか、３本の組立用折曲線L5〜L7の、計４本の組立用折曲線L1,L5〜L7が形成されている。
また、折畳用折曲線M2が、正面側側板30の左右の中央に延びている。このため、正面側側板30は、図示しないが、折畳用折曲線M2に沿って左右に二つ折りに折り畳める。
【００３４】
（背面側側板40）
背面側側板40は、図５及び図８に示すように、底板20の上辺に沿う組立用折曲線L2を介して連設し、正面側側板30と対称な形状に形成されている。
背面側側板40の四辺には、図５及び図８に示すように、組立用折曲線L2のほか、３本の組立用折曲線L8〜L10の、計４本の組立用折曲線L2,L8〜L10が形成されている。
また、折畳用折曲線M2が、背面側側板40の左右の中央に延びている。このため、背面側側板40は、図示しないが、正面側側板30と同様に、折畳用折曲線M2に沿って左右に二つ折りに折り畳める。
【００３５】
（左側側板50）
左側側板50は、図５に示すように、次の各部に二分割されている。
なお、左側側板50を、次の（１）及び（２）に二分割したが、これに限定されず、１個の板材から構成しても良い。
【００３６】
（１）左外側側板51
左外側側板51は、図５及び図８に示すように、背面側側板40の左辺に沿う組立用折曲線L9を介して連設し、同図において上下に長い略長方形に形成されている。
具体的には、左外側側板51は、略Ｌ字形に形成され、上辺が短く、下辺を長く設定されている。
左外側側板51の周囲には、図５及び図８に示すように、組立用折曲線L9のほか、短い上辺に沿う組立用折曲線L16、長い下辺に沿う組立用折曲線L15の、計３本の組立用折曲線L9,L15,L16が形成されている。
【００３７】
（２）左内側側板52
左内側側板52は、図５及び図７に示すように、正面側側板30の左辺に沿う組立用折曲線L6を介して連設し、同図において上下に長い略長方形に形成されている。
左内側側板52は、左外側側板51と非対称な形状に形成され、左右の長さを左外側側板51の左右の長さより長く設定している。そして、左内側側板52は、左外側側板51の内側に一部重なるように、当該左外側側板51に接合される。
【００３８】
具体的には、左内側側板52は、略Ｌ字形に形成され、上辺が短く、下辺を長く設定されている。
左内側側板52の周囲には、図５及び図７に示すように、組立用折曲線L6のほか、長い下辺に沿う組立用折曲線L11、短い上辺に沿う組立用折曲線L12の、計３本の組立用折曲線L6,L11,L12が形成されている。
左内側側板52の長い下辺に沿う組立用折曲線L12の長さの途中には、組立用折曲線L6と平行な折畳用折曲線M3が形成されている。このため、左内側側板52は、図９及び図１０に示すように、折畳用折曲線M3に沿って左右に二つ折りに折り畳める。
【００３９】
（右側側板60）
右側側板60は、図５に示すように、左側側板50と同様に、次の各部に二分割されている。
【００４０】
なお、右側側板60を、次の（１）及び（２）に二分割したが、これに限定されず、左側側板50と同様に、１個の板材から構成しても良い。
（１）右外側側板61
右外側側板61は、図５及び図７に示すように、正面側側板30の右辺に沿う組立用折曲線L7を介して連設し、左外側側板51と対称な形状に形成されている。
右外側側板61の周囲には、図５及び図７に示すように、組立用折曲線L7のほか、長い上辺に沿う組立用折曲線L13、短い下辺に沿う組立用折曲線L14の、計３本の組立用折曲線L7,L13,L14が形成されている。
【００４１】
（２）右内側側板62
右内側側板62は、図５及び図８に示すように、背面側側板40の右辺に沿う組立用折曲線L10を介して連設し、左内側側板52と対称な形状に形成されている。
右内側側板62は、右外側側板61の内側に一部重なるように、当該右外側側板61に接合される。
右内側側板62の周囲には、図５及び図８に示すように、組立用折曲線L10のほか、長い上辺に沿う組立用折曲線L18、短い下辺に沿う組立用折曲線L17の、計３本の組立用折曲線L10,L17,L18が形成されている。
右内側側板62の長い上辺に沿う組立用折曲線L18の長さの途中には、組立用折曲線L10と平行な折畳用折曲線M5が形成されている。このため、右内側側板62は、図９及び図１０に示すように、左内側側板52と同様に、折畳用折曲線M5に沿って左右に二つ折りに折り畳める。
【００４２】
（蓋板70）
蓋板70は、図５に示すように、４個の側板30〜60の少なくとも一辺に沿う組立用折曲線L5,L8を介して連設し、組み立てた状態の容器10の開放上面を開閉可能に塞ぐことができるものである。
【００４３】
具体的には、蓋板70は、図５に示すように、次の各部に二分割されている。
なお、次の（１）及び（２）については、後述する。
（１）正面側蓋板71
（２）背面側蓋板72
なお、蓋板70を、上記した（１）及び（２）に二分割したが、これに限定されず、１個の板材から構成しても良い。
【００４４】
（正面側蓋板71）
正面側蓋板71は、図５及び図７に示すように、正面側側板30の下辺に沿う組立用折曲線L5を介して連設し、例えば同図において左右長い略長方形に形成されている。
なお、正面側蓋板71を、正面側側板30に連設させたが、これに限定されず、左右の側板50,60のいずれか少なくとも一方に連設しても良い。
具体的には、正面側蓋板71は、図５及び図７に示すように、下辺の中央が下向きに突出した凸形に形成されている。
また、正面側蓋板71の下側の凸部分には、半円形に切り欠いて形成した蓋係止片71aを設けている。蓋係止片71aは、後述する背面側蓋板72の蓋係止溝72aにはまり込むものであり、図４に示すように、蓋板70を単独で開閉可能に閉じられるようにしている。
【００４５】
正面側蓋板71の周囲には、図５及び図７に示すように、組立用折曲線L5のほか、下側の凸部分に沿う組立用折曲線L19の、計２本の組立用折曲線L5,L19が形成されている。
また、折畳用折曲線M2が、正面側蓋板71の左右の中央に延びている。このため、正面側蓋板71は、図示しないが、折畳用折曲線M2に沿って左右に二つ折りに折り畳める。
【００４６】
（背面側蓋板72）
背面側蓋板72は、図５及び図８に示すように、背面側側板40の上辺に沿う組立用折曲線L8を介して連設し、底板20と同様に、例えば同図において左右長い略長方形に形成されている。
なお、背面側蓋板72を、背面側側板40に連設させたが、これに限定されず、左右の側板50,60のいずれか少なくとも一方に連設しても良い。
背面側蓋板72は、図１に示すように、組み立てた状態の容器10の開放上面を閉じた際に、正面側蓋板71の内側に位置し、当該正面側蓋板71に一部折り重なる。
また、背面側蓋板72には、図５及び図８に示すように、正面側蓋板71に一部折り重なる部分に、左右方向に「マイナス」形に延び、表裏面に貫通する蓋係止溝72aを形成している。蓋係止溝72aは、正面側蓋板71を一部折り重なった際に、当該正面側蓋板71の蓋係止片71aがはまり込むものであり、図４に示すように、蓋板70を単独で開閉可能に閉じられるようにしている。
【００４７】
背面側蓋板72の周囲には、図５及び図８に示すように、組立用折曲線L8のほか、上辺に沿う組立用折曲線L20の、計２本の組立用折曲線L8,L20が形成されている。
また、折畳用折曲線M2が、背面側蓋板72の左右の中央に延びている。このため、背面側蓋板72は、正面側蓋板71と同様に、図示しないが、折畳用折曲線M2に沿って左右に二つ折りに折り畳める。
【００４８】
（取っ手80）
取っ手80は、図５に示すように、蓋板70の少なくとも一辺に沿う組立用折曲線L19,L20を介して連設し、組み立てた状態の容器10を持てるようにするためのものである。本実施の形態では、取っ手80は、容器10を持つほか、蓋板70を閉じた状態に保持する作用がある。
【００４９】
具体的には、取っ手80は、図５に示すように、次の各部に二分割されている。
なお、次の（１）及び（２）については、後述する。
（１）正面側取っ手81
（２）背面側取っ手82
なお、取っ手80を、上記した（１）及び（２）に二分割したが、これに限定されず、１個の板材から構成しても良い。
【００５０】
（正面側取っ手81）
正面側取っ手81は、図５及び図７に示すように、正面側蓋板71の下辺に沿う組立用折曲線L19を介して連設し、カタカナの略「コ」字形、或いはアルファベット大文字の略「Ｕ」字形、もしくはブリッジ形に形成されている。
正面側取っ手81の下辺の左右両側には、アルファベット大文字の略「Ｕ」字形に下向きに突出した左右一対の突起81a,81bを設けている。左右の突起81a,81bは、容器10を組み立てた状態において、図１に示すように、後述する左右の取っ手係止片90,100の左右の係止溝92,102にはまり込むものである。
また、折畳用折曲線M2が、図５及び図７に示すように、正面側取っ手81の左右の中央に延びている。このため、正面側取っ手81は、図示しないが、折畳用折曲線M2に沿って左右に二つ折りに折り畳める。
【００５１】
（背面側取っ手82）
背面側取っ手82は、図５及び図８に示すように、背面側蓋板72の上辺に沿う組立用折曲線L20を介して連設し、正面側取っ手81と略対称な形状に形成されている。
背面側取っ手82は、容器10を組み立てた状態において、図１に示すように、正面側取っ手81とほぼ重なり合う。
背面側取っ手82の凹状に凹んだ下辺には、図５及び図８に示すように、組立用折曲線L21を介して蓋折返片83が連設する。
組立用折曲線L21は、二重になっており、「マチ」として機能する。蓋折返片83は、左右に長い長方形に形成され、容器10を組み立てた状態において、図１に示すように、組立用折曲線L21を中心にして正面側取っ手81に向かって折り返すことで、正面側取っ手81と背面側取っ手82とを重なり合った状態に保持する。
【００５２】
背面側取っ手82の下辺の左右両側には、図５及び図８に示すように、正面側取っ手81と同様に、上向きに突出した左右一対の突起82a,82bを設けている。左右の突起82a,82bは、容器10を組み立てた状態において、図１に示すように、正面側取っ手81の左右の突起81a,81bと重なり合い、重なり合った状態で、後述する左右の取っ手係止片90,100の左右の係止溝92,102にはまり込むものである。
【００５３】
また、折畳用折曲線M2が、背面側取っ手82及び蓋折返片83の左右の中央に延びている。このため、背面側取っ手82及び蓋折返片83は、図示しないが、正面側取っ手81と同様に、折畳用折曲線M2に沿って左右に二つ折りに折り畳める。
【００５４】
（取っ手係止片90,100）
取っ手係止片90,100は、図５に示すように、左右一対有り、４個の側板30〜60の少なくとも二辺に沿う組立用折曲線L12,L18を介して連設し、容器10を組み立てた状態において、図１に示すように、取っ手80を直立した状態に係止するものである。
具体的には、左右の取っ手係止片90,100は、図５に示すように、二分割され、左右の接続片91,101とそれぞれ接合される。
【００５５】
（左側取っ手係止片90及び左側接続片91）
左側取っ手係止片90は、図５及び図７に示すように、左内側側板52の長い下辺に沿う組立用折曲線L12を介して、当該左内側側板52に連設する。左側取っ手係止片90には、折畳用折曲線M3が延び、図示しないが、当該折畳用折曲線M3に沿って左右に二つ折りに折り畳める。
【００５６】
また、左側取っ手係止片90には、図５及び図７に示すように、折畳用折曲線M3に沿って延び、表裏面に貫通する左側係止溝92が形成されている。左側係止溝92には、容器10を組み立てた状態において、図１に示すように、取っ手80の左側の突起81a,82aがはまり込む。
左側接続片91は、図５及び図８に示すように、左外側側板51の短い上辺に沿う組立用折曲線L16を介して、当該左外側側板51に連設する。左側接続片91は、図１に示すように、左側取っ手係止片90に接合され、全体として山形の形状を成す。
【００５７】
（右側取っ手係止片100及び右側接続片101）
右側取っ手係止片100は、図５及び図８に示すように、右内側側板62の長い上辺に沿う組立用折曲線L18を介して、当該右内側側板62に連設する。右側取っ手係止片100には、折畳用折曲線M5が延び、図示しないが、当該折畳用折曲線M5に沿って左右に二つ折りに折り畳める。
【００５８】
また、右側取っ手係止片100には、図５及び図８に示すように、折畳用折曲線M5に沿って延び、表裏面に貫通する右側係止溝102が形成されている。右側係止溝102には、容器10を組み立てた状態において、図１に示すように、取っ手80の右側の突起81b,82bがはまり込む。
右側接続片101は、図５及び図７に示すように、右外側側板61の短い下辺に沿う組立用折曲線L14を介して、当該右外側側板61に連設する。右側接続片101は、図１に示すように、右側取っ手係止片100に接合され、全体として山形の形状を成す。
【００５９】
（舌片110,120）
舌片110,120は、図５及び図６に示すように、左右一対有り、底板20の左右の辺に沿う組立用折曲線L3,L4を介して連設し、容器10を組み立てた状態において、図１〜３に示すように、後述する被係合片130,140と係合することで、容器10を箱形に立体的に組み立て状態に保持するためのものである。
具体的には、左右の舌片110,120には、図５及び図６に示すように、同図において上下に位置する２個の折返片111,112,121,122が組立用折曲線L22〜L25を介して連設している。
【００６０】
（左側舌片110）
左側舌片110は、図５及び図６に示すように、底板20の左辺に沿う組立用折曲線L3を介して連設し、頂点を外側に向けた三角形に形成されている。
【００６１】
左側舌片110の周囲には、図５及び図６に示すように、組立用折曲線L3のほか、同図において上側に位置する傾斜辺に沿う組立用折曲線L23、下側に位置する傾斜辺に沿う組立用折曲線L22の、計３本の組立用折曲線L3,L22,L23が形成されている。
左側舌片110には、折畳用折曲線M1が延び、図示しないが、当該折畳用折曲線M1に沿って上下に二つ折りに折り畳める。
【００６２】
左側第１折返片111は、図５及び図６に示すように、左側舌片110の同図において上側に位置する傾斜辺に沿う組立用折曲線L23を介して左側舌片110に連設し、三角形に形成されている。
左側第１折返片111は、図１〜３に示すように、容器10を組み立てる際に、組立用折曲線L23を中心に左側舌片110に向かって折り返される。
【００６３】
また、左側第１折返片111は、図５に示すように、左外側側板51の長い下辺に沿う組立用折曲線L15を介して、当該左外側側板51に連設する。
左側第２折返片112は、図５及び図６に示すように、左側舌片110の同図において下側に位置する傾斜辺に沿う組立用折曲線L22を介して左側舌片110に連設し、左側第１折返片111と同様に、三角形に形成されている。
【００６４】
左側第２折返片112は、図１〜３に示すように、容器10を組み立てる際に、左側第１折返片111と同様に、組立用折曲線L22を中心に左側舌片110に向かって折り返される。
また、左側第２折返片112は、図５及び図６に示すように、左内側側板52の短い上辺に沿う組立用折曲線L11を介して、当該左内側側板52に連設する。
【００６５】
（右側舌片120）
右側舌片120は、図５及び図６に示すように、底板20の右辺に沿う組立用折曲線L4を介して連設し、頂点を外側に向けた三角形に形成されている。
右側舌片120の周囲には、図５及び図６に示すように、組立用折曲線L4のほか、同図において上側に位置する傾斜辺に沿う組立用折曲線L25、下側に位置する傾斜辺に沿う組立用折曲線L24の、計３本の組立用折曲線L4,L24,L25が形成されている。
右側舌片120には、折畳用折曲線M1が延び、図示しないが、当該折畳用折曲線M1に沿って上下に二つ折りに折り畳める。
【００６６】
右側第１折返片121は、図５及び図６に示すように、右側舌片120の同図において上側に位置する傾斜辺に沿う組立用折曲線L25を介して右側舌片120に連設し、三角形に形成されている。
右側第１折返片121は、図１〜３に示すように、容器10を組み立てる際に、組立用折曲線L25を中心に右側舌片120に向かって折り返される。
【００６７】
また、右側第１折返片121は、図５及び図６に示すように、右内側側板62の短い下辺に沿う組立用折曲線L17を介して、当該右内側側板62に連設する。
右側第２折返片122は、図５及び図６に示すように、右側舌片120の同図において下側に位置する傾斜辺に沿う組立用折曲線L24を介して右側舌片120に連設し、右側第１折返片121と同様に、三角形に形成されている。
【００６８】
右側第２折返片121は、図１〜３に示すように、容器10を組み立てる際に、右側第１折返片121と同様に、組立用折曲線L24を中心に右側舌片120に向かって折り返される。
また、右側第２折返片122は、図５及び図６に示すように、右外側側板61の長い上辺に沿う組立用折曲線L13を介して、当該右外側側板61に連設する。
【００６９】
（被係合片130,140）
被係合片130,140は、図５に示すように、左右一対有り、左外側側板51と右外側側板61とにそれぞれ連設し、容器10を組み立てた状態において、図１〜３に示すように、左右の舌片110,120と係合することで、容器10を箱形に立体的に組み立て状態に保持するためのものである。
【００７０】
左側被係合片130は、図５及び図８に示すように、左外側側板51に連設し、例えば矩形に外向きに突出する。左側被係合片130には、同図において高さの中央には、左右方向に「マイナス」形に延び、表裏面に貫通する左側被係合溝131を形成している。
左側被係合溝131には、容器10を組み立てた状態において、図１〜３に示すように、左側舌片110の先端部が差し込まれる。
【００７１】
右側被係合片140は、図５及び図７に示すように、右外側側板61に連設し、左側被係合片130と対称な形状に形成されている。右側被係合片140には、同図において高さの中央には、左右方向に「マイナス」形に延び、表裏面に貫通する右側被係合溝141を形成している。
右側被係合溝141には、容器10を組み立てた状態において、図１〜３に示すように、右側舌片120の先端部が差し込まれる。
【００７２】
（溶着した容器10）
展開した容器10の周囲には、図５に示すように、マチ状に溶接部N1〜N5,N7が形成されている。また、左内側側板52と右外側側板61とには、左側被係合片130の溶接部N5と、右側被係合片140の溶接部N7とをそれぞれ接合するための溶接部N6,N8が形成されている。
【００７３】
展開した容器10は、図９及び図１０に示すように、組立用折曲線L1〜L25の一部を折り曲げて袋状とし、全ての溶接部N1〜N8を熱溶着することで、平面的な袋体11とする。
袋体11は、平面的な状態で内部に薄いものであれば入れられ、これ単独も使用可能である。
なお、展開した容器10を、熱溶着したが、これに限定されず、図示しないが、接着剤を使用して接着したり、或いはテープを使用したりして接合しても良い。
【００７４】
（組み立てた状態の容器10）
つぎに、平面的な袋体11を、図１〜３に示すように、組立用折曲線L1〜L25の一部を折り曲げて、立体的な箱体として組み立てる。
このとき、底板20に対して、４個の側板30〜60を角筒形に立ち上げた状態で、左右の舌片110,120の三角形に尖った先端部を、図２及び図３に示すように、左右の被係合片130,140の各被係合溝131,141に差し込むことで、４個の側板30〜60を角筒形に立ち上げた状態に保持できる。
容器10の開放上面から中空内部には、図示しないが、例えば食材や食品を含む料理の一部を入れることができる。
【００７５】
料理の一部を入れた後、図１に示すように、２個の正面側蓋板71と背面側蓋板72とを、組立用折曲線L5,L20から折り曲げ、容器10の開放上面を閉じる。つぎに、正面側取っ手81と背面側取っ手82とを立ち上げ、前後に重ね合わせる。
その後、正面側取っ手81と背面側取っ手82との前後に重なり合う左右の突起81a,82a,81b,82bとを、図１に示すように、左右の取っ手係止片90,100の左右の係止溝92,102にそれぞれはめ込むことで、２個の正面側蓋板71と背面側蓋板72とを容器10の開放上面を閉じた状態に係止する。
【００７６】
また、背面側取っ手82の蓋折返片83を、図１に示すように、組立用折曲線L21を中心にして正面側取っ手81に向かって折り返すことで、正面側取っ手81と背面側取っ手82とを重なり合った状態に保持する。
一方、容器10内に入れた料理の一部から水分が漏れ出ることがある。
このとき、図５に示す展開した容器10において説明するが、底板20の上下の辺に沿う組立用折曲線L1,L2を介して正面側側板30及び背面側側板40が連設することから、底板20の上下の辺側から水分が、組み立てた状態の容器10の外側に漏れ出ることがない。
【００７７】
また、図５において、底板20の左右の辺に沿う組立用折曲線L3,L4を介して左右の舌片110,120が連設することから、底板20の左右の辺側から水分が、組み立てた状態の容器10の外側に漏れ出ることがない。
これに加えて、左右の舌片110,120には、図５において、上下の傾斜辺に沿う組立用折曲線L22〜L25を介して左右の第１、第２折返片111,112,121,122が連設し、左右の第１、第２折返片111,112,121,122が組立用折曲線L22〜L25を中心に左右の舌片110,120に向かって折り返されている。このため、左右の舌片110,120、左右の第１、第２折返片111,112,121,122が一種のポケット状の作用し、水分がたまり込むことができるので、底板20の左右の辺側から水分が、組み立てた状態の容器10の外側に漏れ出ることを防止できる。
【００７８】
（折り畳み状態の容器10）
つぎに、図９及び図１０に示す平面的な袋体11の折り畳み方法について説明する。
図９において、正面側側板30に向かって、底板20、左側側板50、右側側板60及び蓋板70を、正面側側板30の四辺に沿う組立用折曲線L1,L5,L6,L7から折り返す。
このとき、取っ手80は、蓋板70を折り返した際に、正面側側板30に向かって折り返される。また、左側取っ手係止片90、右側取っ手係止片100、右側接続片101、左側舌片110、左側第２折返片112、右側舌片120及び右側第２折返片122は、左側側板50及び右側側板60を折り返した際に、正面側側板30に向かって折り返される。
【００７９】
つぎに、正面側側板30を、図５の折畳用折曲線M1に沿って二つ折りに折り畳むことで、袋体11を正面側側板30の半分の大きさにまで平面的に折り畳むことができる。
なお、正面側側板30を、図５の折畳用折曲線M1に沿って二つ折りに折り畳んだ際に、正面側側板30に向かって折り返されていた底板20、蓋板70及び取っ手80も、折畳用折曲線M1に沿って二つ折りに折り畳まれる。
【００８０】
（第２の実施の形態）
つぎに、図１１及び図１２を用いて、本発明の第２の実施の形態について説明する。
本実施の形態の特徴は、図１１に示すように、展開状態の容器300の構造を簡略化した点にある。
すなわち、図１１に示すように、底板310の上辺には、４個の側板320〜350の少なくと１個、例えば側板320を折曲線を介して連設する。
なお、底板310の上辺に、側板320を連設させたが、これに限定されず、残る３個の側板330〜350の少なくと１個以上に連設させても良いし、底板310の上辺でなく、下辺に連設させても良い。
【００８１】
残る３個の側板330〜350は、底板310に連設する側板320に左右方向に連なるように折曲線を介して連設する。また、４個の側板320〜350の１個、例えば側板320の上辺には、蓋板360を折曲線を介して連設する。
なお、蓋板360を側板320に連設させたが、これに限定されず、残る３個の側板330〜350の１個に連設させても良い。
【００８２】
底板310の左右の辺には、外向きに三角形形に突出する左右の舌片370,380を折曲線を介して連設する。
また、４個の側板320〜350のうち、図１２に示すように、左右の舌片370,380を折り曲げた際に対向する２個の側板330,350には、図１１に示すように、左右方向に「マイナス」形に延び、表裏面に貫通する被係合溝330a,350aを形成する。
【００８３】
組み立て時には、底板310に対して、図１２に示すように、４個の側板320〜350を立ち上げ、左右の舌片370,380を被係合溝330a,350aに差し込むことで、４個の側板320〜350が角筒形に立体的に立ち上がった状態に保持することができる。
なお、容器300の接合用の「代」については、図示しないが、必要な箇所を接合することで、容器300を立体的な箱形に組み立てる。
【００８４】
（第３の実施の形態）
つぎに、図１３及び図１４を用いて、本発明の第３の実施の形態について説明する。
本実施の形態の特徴は、図１１及び図１２を用いて説明した第２の実施の形態の変形例を提示するものであり、図１３に示すように、容器400の展開状態を異にしている点にある。
すなわち、図１３に示すように、底板410の上辺と下辺とには、４個の側板420〜450の２個、例えば側板420,430を折曲線を介してそれぞれ連設する。
【００８５】
なお、底板410の上辺と下辺とに、側板420,430を連設させたが、これに限定されず、残る２個の側板440,450を連設させても良い。
残る２個の側板440,450を、側板420,430の左右方向に連なるように折曲線を介してそれぞれ連設する。また、側板420の上辺には、蓋板460を折曲線を介して連設する。
なお、蓋板460を側板420に連設させたが、これに限定されず、残る３個の側板430〜450の１個に連設させても良い。
【００８６】
底板410の左右の辺には、外向きに三角形形に突出する左右の舌片470,480を折曲線を介して連設する。
また、４個の側板420〜450のうち、図１４に示すように、左右の舌片470,480を折り曲げた際に対向する２個の側板440,450には、図１３に示すように、左右方向に「マイナス」形に延び、表裏面に貫通する被係合溝440a,450aを形成する。
【００８７】
組み立て時には、底板410に対して、図１４に示すように、４個の側板420〜450を立ち上げ、左右の舌片470,480を被係合溝440a,350aに差し込むことで、４個の側板420〜450が角筒形に立体的に立ち上がった状態に保持することができる。
なお、容器400の接合用の「代」については、図示しないが、必要な箇所を接合することで、容器400を立体的な箱形に組み立てる。
【００８８】
（第４の実施の形態）
つぎに、図１５及び図１６を用いて、本発明の第４の実施の形態について説明する。
本実施の形態の特徴は、図１１及び図１２を用いて説明した第２の実施の形態の変形例を提示するものであり、図１５に示すように、容器500の展開状態を異にしている点にある。
すなわち、図１５に示すように、底板510の上辺と下辺とには、４個の側板520〜550の２個、例えば側板520,530を折曲線を介してそれぞれ連設する。
【００８９】
残る２個の側板440,450を、二分割し、片半部541,542,551,552から構成する。片半部541,542,551,552は、２個の側板520,530の左右両辺に折曲線を介してそれぞれ連設する。また、側板520の上辺には、蓋板560を折曲線を介して連設する。
なお、蓋板560を側板520に連設させたが、これに限定されず、残る３個の側板530〜550の１個に連設させても良い。
【００９０】
底板510の左右の辺には、外向きに三角形形に突出する左右の舌片570,580を折曲線を介して連設する。
また、片半部541,542,551,552には、図１６に示すように、左右方向に「マイナス」形に延び、表裏面に貫通する被係合溝541a,452a,551a,552aを形成する。
組み立て時には、底板510に対して、図１６に示すように、４個の側板520〜450を立ち上げ、左右の舌片570,580を被係合溝541a,452a,551a,552aに差し込むことで、４個の側板520〜550が角筒形に立体的に立ち上がった状態に保持することができる。
【００９１】
なお、容器500の接合用の「代」については、図示しないが、必要な箇所、例えば片半部541,542,551,552同士を相互に接合することで、容器500を立体的な箱形に組み立てる。
【符号の説明】
【００９２】
（第１の実施の形態）
10  折り畳み式容器          11  袋体
20  底板
30  正面側側板              40  背面側側板
50  左側側板
51  左外側側板              52  左内側側板
60  右側側板
61  右外側側板              62  右内側側板
70  蓋板
71  正面側蓋板              71a  蓋係止片
72  背面側蓋板              72a  蓋係止溝
80  取っ手                  81  正面側取っ手
81a  左側突起               81b  右側突起
82  背面側取っ手
82a  左側突起               82b  右側突起
83  蓋折返片
90  左側取っ手係止片
91  左側接続片              92  左側係止溝
100  右側取っ手係止片
101  右側接続片             102  右側係止溝
110  左側舌片
111  左側第１折返片         112  左側第２折返片
120  右側舌片
121  右側第１折返片         122  右側第２折返片
130  左側被係合片           131  左側被係合溝
140  右側被係合片           141  右側被係合溝
L1〜L25  組立用折曲線       M1〜M6  折畳用折曲線
N1〜N8  溶着部
（第２の実施の形態）
300  容器                   310  底板
320〜350  側板              330a,350a  被係止溝
360  蓋板                   370,380  舌片
（第３の実施の形態）
400  容器                   410  底板
420〜450 側板               440a,450a  被係止溝
460  蓋板                   470,480  舌片
（第４の実施の形態）
500  容器                   510  底板
520〜550  側板              541,542,551,552  片半部
541a,452a,551a,552a  被係止溝
560  蓋板                   570,580  舌片
【図１】
2012035892.tif 000003
【図２】
2012035892.tif 000004
【図３】
2012035892.tif 000005
【図４】
2012035892.tif 000006
【図５】
2012035892.tif 000007
【図６】
2012035892.tif 000008
【図７】
2012035892.tif 000009
【図８】
2012035892.tif 000010
【図９】
2012035892.tif 000011
【図１０】
2012035892.tif 000012
【図１１】
2012035892.tif 000013
【図１２】
2012035892.tif 000014
【図１３】
2012035892.tif 000015
【図１４】
2012035892.tif 000016
【図１５】
2012035892.tif 000017
【図１６】
2012035892.tif 000018